(57)【要約】【課題】手間をかけることなく効率良くクレジット画像を作成することができる。【解決手段】クレジット画像作成装置１００のＣＰＵ１１は、素材ＩＤが指定されたクレジット画像の作成指示を受け付けると、クレジット画像作成部１２によりビデオサーバ２００に対して素材ＩＤを送信し、この素材ＩＤの映像素材に対応するメタデータの中に含まれるクレジットコード情報を取得する。クレジット画像作成部１２は、取得されたクレジットコード情報をもとにクレジット画像を作成する。クレジット画像管理部１３は、作成されたクレジット画像にクレジット画像ＩＤを付与してクレジット画像記憶部１５に記憶する。また、クレジット画像管理部１３は、ビデオサーバ２００により指定されるクレジット画像ＩＤに対応するクレジット画像をクレジット画像記憶部１５から読み出して出力する。【選択図】      図１
2008147876.tif 000002
【特許請求の範囲】
【請求項１】
映像素材の内容を記述したメタデータの中から一部の素材情報を取得する取得手段と、
前記取得された素材情報をもとにクレジット画像を作成する作成手段と、
指定された映像素材に対応する前記クレジット画像を出力する出力手段と
を具備することを特徴とするクレジット画像作成装置。
【請求項２】
映像素材と前記映像素材の内容を記述したメタデータとを記憶し、前記映像素材を番組として送出するビデオサーバと、
前記ビデオサーバに接続されるクレジット画像作成装置と
を具備し、
前記クレジット画像作成装置は、
前記ビデオサーバに記憶されたメタデータの中から一部の素材情報を取得する取得手段と、
前記取得された素材情報をもとにクレジット画像を作成する作成手段と、
前記作成されたクレジット画像を個別のクレジット画像管理情報を付与して記憶すると共に前記クレジット画像管理情報を前記ビデオサーバに通知し、前記ビデオサーバにより指定されたクレジット画像管理情報に対応するクレジット画像を読み出す管理手段と、
前記読み出されたクレジット画像を前記ビデオサーバに出力する出力手段と
を備え、
前記ビデオサーバは、
前記クレジット画像作成装置から通知されたクレジット画像管理情報を対応するメタデータに挿入する挿入手段と、
送出対象の映像素材のメタデータを検索し、検索されたメタデータから前記挿入されたクレジット画像管理情報を検出し、この検出されたクレジット画像管理情報を指定して前記クレジット画像作成装置に対しクレジット画像の取得を要求する取得要求手段と、
前記取得されたクレジット画像を前記記憶された映像素材に付加して送出する送出手段と
を備えることを特徴とする番組送出システム。
【請求項３】
映像素材の内容を記述したメタデータの中から一部の素材情報を取得し、
前記取得された素材情報をもとにクレジット画像を作成し、
指定された映像素材に対応する前記クレジット画像を出力することを特徴とするクレジット画像作成方法。
【請求項４】
映像素材と前記映像素材の内容を記述したメタデータとを記憶し、前記映像素材を番組として送出するビデオサーバと、前記ビデオサーバに接続されるクレジット画像作成装置とを具備する番組送出システムで用いられる番組送出方法であって、
前記クレジット画像作成装置は、
前記ビデオサーバに記憶されたメタデータの中から一部の素材情報を取得し、
前記取得された素材情報をもとにクレジット画像を作成し、
前記作成されたクレジット画像を個別のクレジット画像管理情報を付与して記憶すると共に前記クレジット画像管理情報を前記ビデオサーバに通知し、前記ビデオサーバにより指定されたクレジット画像管理情報に対応するクレジット画像を読み出し、
前記読み出されたクレジット画像を前記ビデオサーバに出力し、
前記ビデオサーバは、
前記クレジット画像作成装置から通知されたクレジット画像管理情報を対応するメタデータに挿入し、
送出対象の映像素材のメタデータを検索し、検索されたメタデータから前記挿入されたクレジット画像管理情報を検出し、この検出されたクレジット画像管理情報を指定して前記クレジット画像作成装置に対しクレジット画像の取得を要求し、
前記取得されたクレジット画像を前記記憶された映像素材に付加して送出することを特徴とする番組送出方法。
【発明の詳細な説明】
【技術分野】
【０００１】
この発明は、テレビ放送局等で使用されるクレジット画像作成装置、番組送出システム、クレジット画像作成方法及び番組送出方法に関する。
【背景技術】
【０００２】
放送として送出するテレビジョン番組には、映像素材の開始前の領域にクレジット画像が挿入されている。クレジット画像は映像素材に関する情報を示すもので、例えば、番組名、サブタイトル、音声モード、製作者、制作日時が表示される。通常、このクレジット画像は番組編集時に作成され、映像素材に付加される。
【０００３】
なお、従来技術として映像素材に対応するメタデータに基づいて要約映像コンテンツを作成することで、映像素材のダイジェスト情報を配信する手法が提供されている（例えば、特許文献１を参照。）。
【特許文献１】特開２００５−１３６８２４公報
【発明の開示】
【発明が解決しようとする課題】
【０００４】
ところが、クレジット画像が存在しない映像素材の場合にはクレジット画像を作成する必要があり、例えば、用紙に素材情報を記入して静止画撮影する等の方法でクレジット画像を作成していたため、手間がかかっていた。
【０００５】
この発明は上記事情に着目してなされたもので、その目的とするところは、クレジット画像の作成に要する手間を省くことが可能なクレジット画像作成装置、番組送出システム、クレジット画像作成方法及び番組送出方法を提供することにある。
【課題を解決するための手段】
【０００６】
上記目的を達成するためにこの発明に係わるクレジット画像作成装置は、映像素材の内容を記述したメタデータの中から一部の素材情報を取得する取得手段と、前記取得された素材情報をもとにクレジット画像を作成する作成手段と、指定された映像素材に対応する前記クレジット画像を出力する出力手段とを具備することを特徴とする。
【０００７】
この発明に係わる番組送出システムは、映像素材と前記映像素材の内容を記述したメタデータとを記憶し、前記映像素材を番組として送出するビデオサーバと、前記ビデオサーバに接続されるクレジット画像作成装置とを具備し、前記クレジット画像作成装置は、前記ビデオサーバに記憶されたメタデータの中から一部の素材情報を取得する取得手段と、前記取得された素材情報をもとにクレジット画像を作成する作成手段と、前記作成されたクレジット画像を個別のクレジット画像管理情報を付与して記憶すると共に前記クレジット画像管理情報を前記ビデオサーバに通知し、前記ビデオサーバにより指定されたクレジット画像管理情報に対応するクレジット画像を読み出す管理手段と、前記読み出されたクレジット画像を前記ビデオサーバに出力する出力手段とを備え、前記ビデオサーバは、前記クレジット画像作成装置から通知されたクレジット画像管理情報を対応するメタデータに挿入する挿入手段と、送出対象の映像素材のメタデータを検索し、検索されたメタデータから前記挿入されたクレジット画像管理情報を検出し、この検出されたクレジット画像管理情報を指定して前記クレジット画像作成装置に対しクレジット画像の取得を要求する取得要求手段と、前記取得されたクレジット画像を前記記憶された映像素材に付加して送出する送出手段とを備えることを特徴とする。
【０００８】
また、この発明に係わるクレジット画像作成方法は、映像素材の内容を記述したメタデータの中から一部の素材情報を取得し、前記取得された素材情報をもとにクレジット画像を作成し、指定された映像素材に対応する前記クレジット画像を出力することを特徴とする。
【０００９】
この発明に係わる番組送出方法は、映像素材と前記映像素材の内容を記述したメタデータとを記憶し、前記映像素材を番組として送出するビデオサーバと、前記ビデオサーバに接続されるクレジット画像作成装置とを具備する番組送出システムで用いられる番組送出方法であって、前記クレジット画像作成装置は、前記ビデオサーバに記憶されたメタデータの中から一部の素材情報を取得し、前記取得された素材情報をもとにクレジット画像を作成し、前記作成されたクレジット画像を個別のクレジット画像管理情報を付与して記憶すると共に前記クレジット画像管理情報を前記ビデオサーバに通知し、前記ビデオサーバにより指定されたクレジット画像管理情報に対応するクレジット画像を読み出し、前記読み出されたクレジット画像を前記ビデオサーバに出力し、前記ビデオサーバは、前記クレジット画像作成装置から通知されたクレジット画像管理情報を対応するメタデータに挿入し、送出対象の映像素材のメタデータを検索し、検索されたメタデータから前記挿入されたクレジット画像管理情報を検出し、この検出されたクレジット画像管理情報を指定して前記クレジット画像作成装置に対しクレジット画像の取得を要求し、前記取得されたクレジット画像を前記記憶された映像素材に付加して送出することを特徴とする。
【００１０】
上記構成では、映像素材に対応するメタデータをもとに映像素材のクレジット画像を作成する。メタデータには、例えば、番組名、サブタイトル、音声モード、製作者、制作日時等が含まれており、これらの素材情報をメタデータから取得してクレジット画像に表示する情報として用いる。このようにすることで、クレジット画像を作成する手間を省くこと可能となる。
【発明の効果】
【００１１】
したがってこの発明によれば、手間をかけることなく効率良くクレジット画像を作成することが可能なクレジット画像作成装置、番組送出システム、クレジット画像作成方法及び番組送出方法を提供することができる。
【発明を実施するための最良の形態】
【００１２】
以下、図面を参照しながら本発明の実施の形態を詳細に説明する。  
図１は、この発明に係わるクレジット画像作成装置１００を備えた番組送出システムの一実施形態を示す機能ブロック図である。  
このシステムは、クレジット画像作成装置１００とビデオサーバ２００とを備える。なお、本実施形態では、クレジット画像作成装置１００とビデオサーバ２００とを独立に設けた構成であるが、両者を一体化して構成することも可能である。
【００１３】
クレジット画像作成装置１００は、ＣＰＵ（Central Processing Unit）１１と、クレジット画像作成部１２と、クレジット画像管理部１３と、通信インタフェース（通信Ｉ／Ｆ）１４と、クレジット画像記憶部１５とを備える。クレジット画像作成装置１００は、通信Ｉ／Ｆ１４によりビデオサーバ２００に接続される。
【００１４】
クレジット画像作成部１２は、素材識別情報（以下、素材ＩＤと称する）で指定される映像素材に対応するメタデータの中から一部の素材情報（以下、クレジットコード情報と称する）を取得し、このクレジットコード情報をもとにクレジット画像を作成する。クレジット画像管理部１３は、上記作成されたクレジット画像にクレジット画像ＩＤを付与してクレジット画像記憶部１５に記憶する。また、クレジット画像管理部１３は、指定されたクレジット画像ＩＤに対応するクレジット画像をクレジット画像記憶部１５から読み出して出力する。
【００１５】
一方、ビデオサーバ２００は、ＣＰＵ２１と、素材収録部２２と、番組送出部２３と、通信Ｉ／Ｆ２４と、メタデータ記憶部２５と、映像素材記憶部２６とを備える。素材収録部２２は、素材サーバ等から入力される映像素材をメタデータと共に取り込んで、映像素材毎に生成される素材ＩＤに対応付けて、メタデータをメタデータ記憶部２５に、映像素材を映像素材記憶部２６に記憶する。番組送出部２３は、上記クレジット画像作成装置１００により作成されたクレジット画像を取得し、収録されている映像素材に付加して番組として送出する。
【００１６】
次に、このように構成される番組送出システムの動作について説明する。  
（クレジット画像作成処理）  
図２は、クレジット画像作成処理の手順とその内容を示すフローチャートである。  
ＣＰＵ１１は、オペレータ等から素材ＩＤが指定されたクレジット画像の作成指示を受け付けると（ステップＳ２１）、クレジット画像作成部１２によりビデオサーバ２００に対して素材ＩＤを送信する。ビデオサーバ２００は、この素材ＩＤの映像素材に対応するメタデータを検索し（ステップＳ２２）、検索されたメタデータの中からクレジットコード情報を取得する。ビデオサーバ２００は、取得されたクレジットコード情報をクレジット画像作成装置１００に返送する（ステップＳ２３）。
【００１７】
クレジット画像作成部１２は、取得されたクレジットコード情報をもとにクレジット画像を作成する（ステップＳ２４）。クレジット画像管理部１３は、上記作成されたクレジット画像に管理情報（クレジット画像ＩＤ）を付与してクレジット画像記憶部１５に記憶する（ステップＳ２５）。また、クレジット画像管理部１３は、クレジット画像に付与されたクレジット画像ＩＤを通信Ｉ／Ｆ１４によりビデオサーバ２００に送信する。ビデオサーバ２００は、メタデータ記憶部２５に記憶される当該映像素材のメタデータにクレジット画像ＩＤを挿入する（ステップＳ２６）。
【００１８】
（番組送出処理）  
図３は、番組送出処理の手順とその内容を示すフローチャートである。  
ビデオサーバ２００は、オペレータ等から素材ＩＤが指定された番組送出要求を受け付ける（ステップＳ３１）。そうすると、ＣＰＵ２１は、番組送出部２３によりこの素材ＩＤに対応するメタデータをメタデータ記憶部２５から検索する（ステップＳ３２）。そして、番組送出部２３は、検索されたメタデータからクレジット画像ＩＤを検出し（ステップＳ３３）、このクレジット画像ＩＤをクレジット画像作成装置に送信してこのクレジット画像ＩＤに対応するクレジット画像を取得する（ステップＳ３４）。ビデオサーバ２００は、映像素材記憶部２６から映像素材を読み出して、上記取得したクレジット画像と共に番組として送出する（ステップＳ３５）。
【００１９】
以上述べたように上記実施形態では、映像素材に対応するメタデータをもとに映像素材のクレジット画像を作成する。メタデータには、例えば、番組名、サブタイトル、音声モード、製作者、制作日時等が含まれており、これらの素材情報をメタデータから取得してクレジット画像に表示する情報として用いる。  
したがって上記実施形態によれば、手間をかけることなく効率良くクレジット画像を作成することが可能となる。
【００２０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２１】
【図１】この発明に係わるクレジット画像作成装置を備えた番組送出システムの一実施形態を示す機能ブロック図。
【図２】クレジット画像作成処理の手順とその内容を示すフローチャート。
【図３】番組送出処理の手順とその内容を示すフローチャート。
【符号の説明】
【００２２】
１００…クレジット画像作成装置、２００…ビデオサーバ、１１…ＣＰＵ、１２…クレジット画像作成部、１３…クレジット画像管理部、１４…通信インタフェース、１５…クレジット画像記憶部、２１…ＣＰＵ、２２…素材収録部、２３…番組送出部、２４…通信インタフェース、２５…メタデータ記憶部、２６…映像素材記憶部。
【図１】
2008147876.tif 000003
【図２】
2008147876.tif 000004
【図３】
2008147876.tif 000005